(57)【特許請求の範囲】
【請求項１】
所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定具を介してそれぞれ取付けられている土木構築物用ユニットにおいて、
前記網状片は、前記複数の第１区画要素が前記網状片の厚み方向において前記複数の第２区画要素よりも該網状片の一面側に近いように位置されて、該複数の第１区画要素と該複数の第２区画要素との間に所定の段差が形成されており、
前記石に、前記網状片に対向する面において挿入穴が形成され、
前記固定具が、軸状部と、該軸状部の一端に一体的に設けられて該軸状部の径方向において該軸状部よりも拡大されている拡大部とを備え、
前記拡大部が、隣り合う前記第２区画要素同士間において、隣り合う前記第１区画要素に係止されていると共に、前記軸状部が前記網状片の網目を介して前記挿入穴に挿入固定されている、
ことを特徴とする土木構築物用ユニット。
【請求項２】
請求項１において、
前記拡大部が、平板状に形成され、
前記軸状部の他端部が、塑性変形をもって拡開する複数の拡開可能片を有し、該拡開可能片が、拡開した状態で前記挿入穴内壁に係合されている、
ことを特徴とする土木構築物用ユニット。
【請求項３】
請求項１において、
前記拡大部が、平板状に形成され、
前記軸状部の他端部外周に、溝が周方向に延びるようにして形成され、
前記石の挿入穴内周壁と前記軸状部の他端部外周との間に接着剤が充填されている、
ことを特徴とする土木構築物用ユニット。
【請求項４】
施工面に複数の土木構築物用ユニットが敷設され、
前記各土木構築物用ユニットは、所定間隔毎に略平行に配設される複数の第１区画要素と、所定間隔毎に略平行に配設されて前記複数の第１区画要素に対して交差された状態で一体化される複数の第２区画要素とを有する網状片が備えられ、該網状片が、前記複数の第１区画要素を前記網状片の厚み方向において前記複数の第２区画要素よりも該網状片の一面側に近いように位置させて、該複数の第１区画要素と該複数の第２区画要素との間に所定の段差を形成しており、前記網状片の一面に複数の石が固定具を介してそれぞれ取付けられ、前記石に、前記網状片に対向する面において挿入穴が形成され、前記固定具が、軸状部と該軸状部の一端に一体的に設けられて該軸状部の径方向において該軸状部よりも拡大されている拡大部とを備え、前記拡大部が、隣り合う前記第２区画要素同士間において、隣り合う前記第１区画要素に係止されていると共に、前記軸状部が前記網状片の網目を介して前記挿入穴に挿入固定されている、
ことを特徴とする土木構築物。
【発明の詳細な説明】
【０００１】
【発明の属する技術分野】
本発明は、護岸等の土木構築物の構築に使用する土木構築物用ユニット及びその土木構築物用ユニットを用いて構築された土木構築物に関する。
【０００２】
【従来の技術】
近時、護岸等の土木構築物の施工においては、複数の土木構築物用ユニットが用いられる傾向にある。この各土木構築物用ユニットは、網状片の一面に複数の石を固定手段を介して取付けたものとなっており、この複数の土木構築物用ユニットは、施工面に予め敷設される吸い出し防止シート（吸い出し防止材）上に敷設されることになっている。これにより、本来の護岸機能を確保できることは勿論、周囲の自然景観に調和させることができると共に自然への回帰を促進することができることになる。
【０００３】
ところで、上記土木構築物用ユニットにおいて用いられる固定手段として、ボルトとナットとを用いるものが考えられている。このものにおいては、各石にナットを該石表面から露出するようにして埋設する一方、網状片の他面側に座金を当て、ボルトを、その座金及び網状片の網目を貫通させてナットに螺合させ、これにより、各石、網状片及び座金は、ボルト及びナットの螺合関係に基づき、該各石と座金とで網状片を挟持した状態で一体化することになる。
【０００４】
【発明が解決しようとする課題】
しかし、上記土木構築物用ユニットにおいては、網状片に対して各石を取付けるに際して、部品として、ボルト、ナット、座金等、個々独立した部品を用いなければならないばかりか、各石における穴内にナットを埋設し、網状片の他面側に座金を当てると共に、その各石におけるナットに対してボルトをそれぞれ螺合させる作業を行わなければならず、作業負担は軽くはない。
【０００５】
本発明は上記実情に鑑みてなされたもので、その第１の技術的課題は、部品点数を減らすと共に網状片に対する各石の取付け作業性を向上させることができる土木構築物用ユニットを提供することにある。第２の技術的課題は、上記土木構築物用ユニットを用いた土木構築物を提供することにある。
【０００６】
【課題を解決するための手段】
上記第１の技術的課題を達成するために本発明（請求項１の発明）にあっては、
所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定具を介してそれぞれ取付けられている土木構築物用ユニットにおいて、
前記網状片は、前記複数の第１区画要素が前記網状片の厚み方向において前記複数の第２区画要素よりも該網状片の一面側に近いように位置されて、該複数の第１区画要素と該複数の第２区画要素との間に所定の段差が形成されており、
前記石に、前記網状片に対向する面において挿入穴が形成され、
前記固定具が、軸状部と、該軸状部の一端に一体的に設けられて該軸状部の径方向において該軸状部よりも拡大されている拡大部とを備え、
前記拡大部が、隣り合う前記第２区画要素同士間において、隣り合う前記第１区画要素に係止されていると共に、前記軸状部が前記網状片の網目を介して前記挿入穴に挿入固定されている構成としてある。
【０００７】
請求項１の好ましい態様としては、請求項２、３の記載の通りとなる。
【０００８】
上記第２の技術的課題を達成するために本発明（請求項４の発明）にあっては、
施工面に複数の土木構築物用ユニットが敷設され、
前記各土木構築物用ユニットは、所定間隔毎に略平行に配設される複数の第１区画要素と、所定間隔毎に略平行に配設されて前記複数の第１区画要素に対して交差された状態で一体化される複数の第２区画要素とを有する網状片が備えられ、該網状片が、前記複数の第１区画要素を前記網状片の厚み方向において前記複数の第２区画要素よりも該網状片の一面側に近いように位置させて、該複数の第１区画要素と該複数の第２区画要素との間に所定の段差を形成しており、前記網状片の一面に複数の石が固定具を介してそれぞれ取付けられ、前記石に、前記網状片に対向する面において挿入穴が形成され、前記固定具が、軸状部と該軸状部の一端に一体的に設けられて該軸状部の径方向において該軸状部よりも拡大されている拡大部とを備え、前記拡大部が、隣り合う前記第２区画要素同士間において、隣り合う前記第１区画要素に係止されていると共に、前記軸状部が前記網状片の網目を介して前記挿入穴に挿入固定されている、
ことを特徴とする土木構築物とした構成としてある。
【０００９】
【発明の効果】
請求項１の発明によれば、固定具のうち、軸状部が挿入穴に挿入固定され、拡大部が網状片の他面側に係止されることになり、固定具は、そのような軸状部と拡大部とを一体物として備えることになる。このため、別個独立した部品を用いる場合とは異なり、部品点数を減少させることができることになる。また、網状片に対する各石の取付けにおいては、軸状部を、網状片の他面側から該網状片を貫通させて石の挿入穴内に挿入するだけでよく、網状片に対する座金の当接、ボルトとナットの螺合等の作業を省くことができることになり、網状片に対する各石の取付け作業性を向上させることができることになる。
【００１０】
また、網状片は、複数の第１区画要素が該網状片の厚み方向において複数の第２区画要素よりも該網状片の一面側に近いように位置されて、該複数の第１区画要素と該複数の第２区画要素との間に所定の段差が形成されており、拡大部が、隣り合う前記第２区画要素同士間において、隣り合う前記第１区画要素を係止されていることから、複数の第１区画要素から網状片の他面側において、隣り合う第２区画要素間の空間を拡大部の配設空間として、はみださないようにして利用することになり、拡大部が網状片の他面側から突出することを抑制できることになる。このため、前述の作用効果を得ることができるばかりでなく、当該土木構築物用ユニットを安定して敷設でき、さらには、一般に法面に敷設される吸い出し防止シートの破損を抑制できると共に、吸い出し防止シート上での当該土木構築物用ユニットの横ずらし（位置合わせ）を改善できることになる。
【００１１】
請求項２の発明によれば、拡大部が平板状に形成されていることから、上記請求項１と同様の作用効果を得る他に、拡大部が網状片の他面側から突出することを抑制できると共にその拡大部の平坦面を利用できることになる。このため、当該土木構築物用ユニットを安定して敷設できるばかりでなく、一般に法面に敷設される吸い出し防止シートの破損を抑制できると共に、吸い出し防止シート上での当該土木構築物用ユニットの横ずらし（位置合わせ）を改善できることになる。特に、平板状の拡大部は、請求項１の前提構成の下で、該拡大部が網状片の他面側から突出することを効果的に抑制することになる。
また、軸状部の他端部が、塑性変形をもって拡開する複数の拡開可能片を有し、該拡開可能片が、拡開した状態で挿入穴内壁に係合されていることから、挿入穴内に軸状部を挿入する際に、単に拡開可能片を押し開いて挿入穴内壁に係合するだけでよくなり、軸状部を具体的且つ簡単に、しかも迅速に挿入固定できることになる。
【００１２】
請求項３の発明によれば、拡大部が平板状に形成されていることから、上記請求項１と同様の作用効果を得る他に、拡大部が網状片の他面側から突出することを抑制できると共にその拡大部の平坦面を利用できることになる。このため、当該土木構築物用ユニットを安定して敷設できるばかりでなく、一般に法面に敷設される吸い出し防止シートの破損を抑制できると共に、吸い出し防止シート上での当該土木構築物用ユニットの横ずらし（位置合わせ）を改善できることになる。特にこの場合も、平板状の拡大部は、請求項１の前提構成の下で、該拡大部が網状片の他面側から突出することを効果的に抑制することになる。
また、軸状部の他端部外周に溝が周方向に延びるようにして形成され、石の挿入穴内周壁と軸状部の他端部外周との間に接着剤が充填されていることから、単に挿入穴内に接着剤を注入して該挿入穴内に軸状部を挿入さえすれば、軸状部と挿入穴内壁とが接着剤を介して接着されるばかりか、硬化後の接着剤と軸状部における溝内壁とが係合して軸状部を強固に挿入固定できることになる。
【００１３】
請求項４の発明によれば、施工面に複数の土木構築物用ユニットが敷設され、前記各土木構築物用ユニットは、所定間隔毎に略平行に配設される複数の第１区画要素と、所定間隔毎に略平行に配設されて前記複数の第１区画要素に対して交差された状態で一体化される複数の第２区画要素とを有する網状片が備えられ、該網状片が、前記複数の第１区画要素を前記網状片の厚み方向において前記複数の第２区画要素よりも該網状片の一面側に近いように位置させて、該複数の第１区画要素と該複数の第２区画要素との間に所定の段差を形成しており、前記網状片の一面に複数の石が固定具を介してそれぞれ取付けられ、前記石に、前記網状片に対向する面において挿入穴が形成され、前記固定具が、軸状部と該軸状部の一端に一体的に設けられて該軸状部の径方向において該軸状部よりも拡大されている拡大部とを備え、前記拡大部が、隣り合う前記第２区画要素同士間において、隣り合う前記第１区画要素に係止されていると共に、前記軸状部が前記網状片の網目を介して前記挿入穴に挿入固定されていることから、前述の請求項１に係る土木構築物用ユニットを利用して土木構築物を得ることができることになり、土木構築物を迅速且つ容易に構築できることになる。
【００１４】
【発明の実施の形態】
以下、本発明の実施形態について図面に基づいて説明する。
【００１５】
図１において、符号１は護岸である。この護岸１は、その護岸法面（法尻等を含む）１ａに、吸い出し防止シート２を介して実施形態に係る土木構築物用ユニット３を多数敷設しており、その各土木構築物用ユニット３は，隣り合うもの同士が連結されている。
【００１６】
上記吸い出し防止シート２は、予め上記護岸法面１ａに敷設されて土砂等の吸い出しを防止する機能を有し、その素材としては、ある程度柔らかいものが用いられている。
【００１７】
上記各土木構築物用ユニット３は、図２、図３に示すように、網状片としての金網４に複数の自然石（石）５が取付けられている。
【００１８】
金網４は、本実施形態においては、全体が矩形形状（例えば一辺２ｍの正方形）とされた菱形金網とされており、金網４は、複数の第１区画要素６と複数の第２区画要素７とにより形成されている。各第１区画要素６は、所定間隔毎に略真っ直ぐ延びた状態で配設されており、該各第１区画要素６は互いに平行に配置されている。各第２区画要素７も、互いに平行な関係をもって、所定間隔毎に略真っ直ぐ延びた状態で配設されており、この各第２区画要素７は、金網４の厚み方向において、所定の段差Ｈもって、複数の第１区画要素６に対して交差された状態で一体化されている。これにより、全体形状として、所定の段差Ｈに基づく所定厚みのシート形状が形成されると共に、隣り合う第１区画要素６と隣り合う第２区画要素７とに基づき、菱形の網目８が区画されることになっている。
【００１９】
具体的には、金網４が菱形金網であることから、図２に示すように、各第１、第２区画要素６、７は、複数本の線材（段差をもってジグザグ状とされたもの）９を組む（絡ませる）ことにより形成されており、該各第１区画要素６（該各第２区画要素７）は、複数本の線材９の一部９aを部分的につなぎ合わせる構成とされている。
【００２０】
このような金網４は、複数の第１区画要素６を複数の第２区画要素７よりも上側に位置するようにして、吸い出し防止シート２を介して護岸法面１に敷設されており、その金網４の上面側（複数の第１区画要素６側）が表面側（一面側）とされ、その金網４の下面側（複数の第２区画要素７側）が裏面側（他面側）とされている。
【００２１】
複数の自然石５としては、玉石、割石等の種々のものが用いられている。この各自然石５には、比較的深い挿入穴１１がドリル等により形成されており、その開口１１ａは、自然石５の表面から外部に開口されている。このような複数の自然石５は、前記金網４の表面上に配置されており、各自然石５内における挿入穴開口１１ａは、金網４の表面に向けられている。尚、図２、図３においては、金網４の表面は下向きにされている。
【００２２】
金網４に対する各自然石５の取付けには、図２、図３に示すように、本実施形態においては、打ち込み式固定具１２がそれぞれ用いられている。この各固定具１２は、軸状部１３と拡大部１４とを備えており、この軸状部１３と拡大部１４とは一体化された一体化物とされている。
【００２３】
軸状部１３は、金網４の網目８を介して各自然石５における挿入穴１１内に挿入可能な筒状とされており、その軸状部１３ａには、その先端部（他端部）にスリット１３ａを形成して拡開可能な拡開可能片１３ｂが形成されている。このような軸状部１３は、金網４の裏面側から該金網４の網目８を介して挿入穴１１内に挿入されており、その先端部における拡開可能片１３ｂは、図３に示すように、挿入穴１１内において、楔１５により塑性変形をもって押し開かれた状態とされている。これにより、その押し開かれた拡開可能片１３ｂは、挿入穴１１内周壁に係合され、軸状部１３は挿入穴１１から抜けないようになっている。
【００２４】
拡大部１４は、長尺な板状体とされている。この拡大部１４は、その厚みが第１区画要素６と第２区画要素７との所定の段差Ｈよりも十分に薄くされており、その長手方向長さとして、少なくとも隣り合う第１区画要素６同士間の長さＬ１以上の長さが確保され、その幅方向長さとして、隣り合う第２区画要素７間（長さＬ２）に略適合して収まる長さが設定されている。このような拡大部１４は、上記軸状部１３が挿入穴１１内に挿入固定されたとき、図３に示すように、金網４の裏面側において、該当する網目８において、該網目８を区画する隣り合う第２区画要素７間に収納されると共に、該網目８を区画する隣り合う第１区画要素６を跨ぐように配設されており、拡大部１４は、自然石４と協働して金網４を挟持している。
【００２５】
次に、上記土木構築物用ユニット３の製造方法について説明する。先ず、金網４上に配置すべき複数の自然石５を平坦な作業面上に敷き並べる。この場合、複数の自然石５は、金網４内に配置できるように、数、配置が決められ、その各自然石５は、挿入穴開口１１ａが上方を向くように並べられる。
【００２６】
次に、上記複数の自然石５の上に金網４を被せる。この場合、金網４は、複数の第１区画要素６側が複数の自然石（下側）５に向けられる。
【００２７】
次に、図２に示すように、各固定具１２における軸状部１３先端部に楔１５を仮嵌合し、そのような軸状部１３を金網４の裏面側から該金網４の網目８を介して挿入穴１１内に挿入し、その状態で、拡大部１４をハンマー等により叩くことにより、該軸状部１３を挿入穴１１内に押し込む。これにより、各拡開可能片１３ｂは、楔１５により塑性変形をもって押し開かれ、その各拡開可能片１３ｂは、挿入穴１１内壁に係合することになり、軸状部１３は挿入穴１１から抜けなくなる。
【００２８】
一方、拡大部１４は、軸状部１３を挿入穴１１内に挿入するに際して、その配設が、隣り合う第２区画要素７間に収まるように位置されることになっており、軸状部１３を挿入穴１１内に押し込むことにより、拡大部１４は、隣り合う第２区画要素７間において、隣り合う第１区画要素６に跨ることになる。これにより、各自然石５と拡大部１４とが金網４を挟持することになり、各自然石５は、金網４の表面に固定されることになる。このとき、拡大部１４は、図３に示すように、複数の第２区画要素７（金網４の裏面）よりも外方に突出することはない。
【００２９】
したがって、上記土木構築物用ユニット３においては、固定具１２として、軸状部１３と拡大部１４とを一体物として備えるものを用いることから、別個独立した部品を用いる場合とは異なり、部品点数を減少させることができ、部品管理、部品の取り扱いを容易にすることができることになる。また、金網４に対する各自然石５の取付けにおいては、軸状部１３を金網４の他面側から該金網４を貫通させて挿入穴１１内に挿入し、その状態で、拡大部１４をハンマー等によって一、二発叩くことにより、軸状部１３を自然石５の挿入穴１１内に押し込むだけでよく、これにより、従前における金網４に対する座金の当接、ボルトとナットの螺合等の作業を省くことができることになる。しかも、拡大部１４が、所定の段差Ｈを利用して、金網４の裏面（第２区画要素７）から突出することがないことから、当該土木構築物用ユニット３を安定して敷設できるばかりでなく、吸い出し防止シート２の破損を抑制できると共に、吸い出し防止シート２上での当該土木構築物用ユニット３の横ずらし（位置合わせ）を改善できることになる。
【００３０】
図４は第２実施形態、図５、図６は第３実施形態、図７は第４実施形態を示すものである。この各実施形態において、前記第１実施形態と同一構成要素については同一符号を付してその説明を省略する。
【００３１】
図４に示す第２実施形態は前記第１実施形態の変形例を示すものである。この第２実施形態においては、拡大部１４が丸棒状に形成されている。これにより、拡大部１４の強度を高めることができるばかりか、複数の固定具１２（丸棒状の拡大部１４）を結束して搬送することを容易にすることができることになる。
【００３２】
図５、図６に示す第３実施形態においては、軸状部１３が中実の棒状とされ、その先端部外周面には複数の溝１６が形成されている。この各溝１６は、軸状部１３の周回り方向に延びており、そのような溝１６は、軸状部１３の軸心方向に順次、形成されている。
【００３３】
このような固定具１２を用いる場合には、固定具１２の軸状部１３を各自然石５における挿入穴１１に挿入する前に、その挿入穴１２内に接着剤１７を注入し、その接着剤の１７の注入後、軸状部１３を各自然石５における挿入穴１１に挿入する。これにより、単に挿入穴１１内に接着剤１７を注入して該挿入穴１１内に軸状部１３を挿入さえすれば、軸状部１３と挿入穴１１内壁とが接着剤１７を介して接着されるばかりか、硬化後の接着剤１７と軸状部１３における溝１６内壁とが係合して軸状部１３を強固に挿入固定できることになる。この場合、軸状部１３を先端が開口する筒状とした場合には、挿入穴１１内に軸状部１３を挿入するに際して、余分な接着剤１７を軸状部１３内に逃がすことができ、接着剤１７が溢れることを防止できることになる。
【００３４】
図７に示す第４実施形態は前記第３実施形態の変形例を示すものである。この第４実施形態においては、拡大部１４が丸棒状に形成されている。これにより、拡大部１４の強度を高めることができるばかりか、複数の固定具１２（丸棒状の拡大部１４）を結束して搬送することを容易にすることができることになる。
【００３５】
以上実施形態について説明したが本発明にあっては、次のような態様を包含する。
１）石として、自然石５に代えて擬石を用いること。
２）楔１５を挿入穴１１内に予め入れておき、筒状の軸状部１３を挿入穴１１内に挿入することにより、また、楔１５を用いることなく軸状部１３をそのまま押し込むことにより、軸状部１３先端部における拡開可能片１３ｂを押し開くこと。
【００３６】
尚、本発明の目的は、明記されたものに限らず、実質的に好ましい或いは利点として記載されたものに対応したものを提供することをも含むものである。
【図面の簡単な説明】
【図１】第１実施形態に係る土木構築物用ユニットを用いた護岸（土木構築物）を示す説明図。
【図２】第１実施形態に係る土木構築物用ユニットにおける自然石と金網との取付け関係を説明する説明図。
【図３】第１実施形態に係る土木構築物用ユニットの要部拡大縦断面図。
【図４】第２実施形態において用いられる土木構築物用ユニットの固定具を示す斜視図。
【図５】第３実施形態において用いられる土木構築物用ユニットの固定具を示す斜視図。
【図６】第３実施形態に係る土木構築物用ユニットの要部拡大縦断面図。
【図７】第４実施形態において用いられる土木構築物用ユニットの固定具を示す斜視図。
【符号の説明】
１ 護岸
３ 土木構築物用ユニット
４ 金網
５ 自然石
６ 第１区画要素
７ 第２区画要素
８ 網目
１１ 挿入穴
１２ 固定具
１３ 軸状部
１３ｂ 拡開可能片
１４ 拡大部
１５ 楔
１６ 溝
１７ 接着剤
【図１】
0004044233.tif 000002
【図２】
0004044233.tif 000003
【図３】
0004044233.tif 000004
【図４】
0004044233.tif 000005
【図５】
0004044233.tif 000006
【図６】
0004044233.tif 000007
【図７】
0004044233.tif 000008